(57)【要約】      （修正有）【課題】ＨＳＤＰＡ接続モードＣＥＬＬ＿ＰＣＨまたはＵＲＡ−ＰＣＨ状態におけるページング方法を提供する。【解決手段】ＷＴＲＵは、候補ＰＩＣＨのリストを編集し、ＷＴＲＵのＵ−ＲＮＴＩに基づいてＰＩＣＨ情報を選択することすることによって、基地局ブロードキャストされる様々なＰＩＣＨ情報を選択し、選択されたＰＩＣＨ情報に基づいてページングメッセージを受信するように構成される。一実施形態において、ＷＴＲＵが、ＰＩＣＨ、ＨＳ−ＳＣＣＨおよびＨＳ−ＰＤＳＣＨに基づいて、ページングメッセージを受信する。別の実施形態において、ＷＴＲＵが、ＰＩＣＨおよびＨＳ−ＰＤＳＣＨに基づいて、ページングメッセージを受信する。両方の実施形態において、ある期間の間ＷＴＲＵがＨＳ−ＳＣＣＨまたはＨＳ−ＰＤＳＣＨをリッスンし、ページングメッセージが受信されない場合はスリープモードに戻り得るように、時間遅延パラメータが使用される。【選択図】図３
2014168275.tif 000002
【特許請求の範囲】
【請求項１】
高速ダウンリンクパケットアクセス（ＨＳＤＰＡ）無線通信においてページングを容易にする、無線送信／受信ユニット（ＷＴＲＵ）のための方法であって、
前記ＷＴＲＵが、ＣＥＬＬ＿ＰＣＨまたはＵＲＡ＿ＰＣＨ状態において動作しているときに、
ページングインジケータチャネル（ＰＩＣＨ）情報を備える、ＨＳＤＰＡ関連のＰＩＣＨ情報要素を、基地局から受信するステップと、
前記情報要素を受信した後に、ＨＳＤＰＡに対する候補ＰＩＣＨのリストを編集するステップと、
候補の数に対応する値ｋを決定するステップと、
Ｕ＿ＲＮＴＩ  ｍｏｄ  ｋに等しい選択指数を計算するステップであって、Ｕ＿ＲＮＴＩは、前記ＷＴＲＵのユニバーサル移動通信システム（ＵＭＴＳ）地上無線アクセスネットワーク（ＵＴＲＡＮ）無線ネットワークトランザクション識別子（Ｕ−ＲＮＴＩ）である、ステップと、
前記選択指数に基づいて、候補ＰＩＣＨの前記リストからＰＩＣＨ情報を選択するステップと、
前記ＰＩＣＨ情報から導出されたページング機会の間に、スリープモードからアウェイクするステップと、
前記選択されたＰＩＣＨ情報を使用して、ＰＩＣＨ上でページングインジケータを監視するステップと、
高速物理ダウンリンク共有チャネル（ＨＳ−ＰＤＳＣＨ）上でメッセージを監視するステップと、
前記ＨＳ−ＰＤＳＣＨ上でメッセージが検出されなかった場合に、前記スリープモードに戻るステップと
を備えたことを特徴とする方法。
【請求項２】
前記メッセージを監視するステップは、遅延期間を待った後に、前記メッセージの受信を監視するステップを備えていることを特徴とする請求項１に記載の方法。
【請求項３】
前記遅延期間は、前記受信されたＰＩＣＨ情報に基づいている所定の最小時間および最大時間に基づいていることを特徴とする請求項２に記載の方法。
【請求項４】
高速ダウンリンクパケットアクセス（ＨＳＤＰＡ）無線通信に対して構成された無線送信／受信ユニット（ＷＴＲＵ）であって、前記ＷＴＲＵは、少なくとも部分的には、
前記ＷＴＲＵがＣＥＬＬ＿ＰＣＨまたはＵＲＡ＿ＰＣＨ状態において動作しているときに、
ページングインジケータチャネル（ＰＩＣＨ）情報を備える、ＨＳＤＰＡ関連のＰＩＣＨ情報要素を、基地局から受信し、
前記情報要素を使用して、ＨＳＤＰＡに対する候補ＰＩＣＨのリストを編集し、
候補の数に対応する値ｋを決定し、
Ｕ＿ＲＮＴＩ  ｍｏｄ  ｋに等しい選択指数を計算し、Ｕ＿ＲＮＴＩは、前記ＷＴＲＵのユニバーサル移動通信システム（ＵＭＴＳ）地上無線アクセスネットワーク（ＵＴＲＡＮ）無線ネットワークトランザクション識別子（Ｕ−ＲＮＴＩ）であり、および、
前記選択指数に基づいて、候補ＰＩＣＨの前記リストからＰＩＣＨ情報を選択し、
前記ＰＩＣＨ情報から導出されたページング機会の間に、スリープモードからアウェイクし、
前記選択されたＰＩＣＨ情報を使用して、ＰＩＣＨ上でページングインジケータを監視し、
高速物理ダウンリンク共有チャネル（ＨＳ−ＰＤＳＣＨ）上でメッセージを監視し、ならびに、
前記ＨＳ−ＰＤＳＣＨ上でメッセージが検出されなかった場合に、前記スリープモードに戻る
ように構成されていることを特徴とするＷＴＲＵ。
【請求項５】
前記ＷＴＲＵは、
共通高速ダウンリンク共有チャネル（ＨＳ−ＤＳＣＨ）無線ネットワークトランザクション識別子（Ｈ−ＲＮＴＩ）を受信し、および、
前記受信された共通Ｈ−ＲＮＴＩを使用して、前記ＨＳ−ＰＤＳＣＨ上で前記メッセージを受信する
ように構成されていることを特徴とする請求項４に記載のＷＴＲＵ。
【請求項６】
前記ＷＴＲＵは、遅延期間を待った後に、前記メッセージの受信を監視するように構成されていることを特徴とする請求項５に記載のＷＴＲＵ。
【請求項７】
前記遅延期間は、前記受信されたＰＩＣＨ情報に基づいている所定の最小時間および最大時間に基づいていることを特徴とする請求項６に記載のＷＴＲＵ。
【請求項８】
高速ダウンリンクパケットアクセス（ＨＳＤＰＡ）無線通信においてページングを容易にする、無線送信／受信ユニット（ＷＴＲＵ）のための方法であって、
前記ＷＴＲＵが、ＣＥＬＬ＿ＰＣＨおよびＵＲＡ＿ＰＣＨ状態のうちの１つにあるときに、
ページングインジケータチャネル（ＰＩＣＨ）情報を備える、ＨＳＤＰＡ関連のＰＩＣＨ情報要素を、基地局から受信するステップと、
前記情報要素を受信した後に、ＨＳＤＰＡに対する候補ＰＩＣＨのリストを編集するステップと、
候補の数に対応する値ｋを決定するステップと、
Ｕ＿ＲＮＴＩ  ｍｏｄ  ｋに等しい選択指数を計算するステップであって、Ｕ＿ＲＮＴＩは、前記ＷＴＲＵのユニバーサル移動通信システム（ＵＭＴＳ）地上無線アクセスネットワーク（ＵＴＲＡＮ）無線ネットワークトランザクション識別子（Ｕ−ＲＮＴＩ）である、ステップと、
前記選択指数に基づいて、候補ＰＩＣＨの前記リストからＰＩＣＨ情報を選択するステップと、
前記ＰＩＣＨ情報から導出されたページング機会の間に、スリープモードからアウェイクするステップと、
前記選択されたＰＩＣＨ情報を使用して、ＰＩＣＨ上でページングインジケータを監視するステップと、
高速ダウンリンク共有チャネル（ＨＳ−ＤＳＣＨ）無線ネットワークトランザクション識別子（Ｈ−ＲＮＴＩ）を監視するステップと、
前記受信されたＨ−ＲＮＴＩを使用して、高速共有チャネルを監視するステップと、
Ｈ−ＲＮＴＩが受信されない場合に、前記スリープモードに戻るステップと
を備えたことを特徴とする方法。
【請求項９】
前記Ｈ−ＲＮＴＩを受信するステップと、
前記受信されたＨ−ＲＮＴＩに基づいて、高速物理ダウンリンク共有チャネル（ＨＳ−ＰＤＳＣＨ）を受信するステップと
をさらに備えたことを特徴とする請求項８に記載の方法。
【請求項１０】
前記Ｈ−ＲＮＴＩを監視するステップは、遅延期間を待った後に、前記Ｈ−ＲＮＴＩの受信に対して高速共有チャネルを監視するステップを備えていることを特徴とする請求項８に記載の方法。
【請求項１１】
前記遅延期間は、前記受信されたＰＩＣＨ情報に基づいている所定の最小時間および最大時間に基づいていることを特徴とする請求項１０に記載の方法。
【請求項１２】
高速ダウンリンクパケットアクセス（ＨＳＤＰＡ）無線通信に対して構成された無線送信／受信ユニット（ＷＴＲＵ）であって、前記ＷＴＲＵは、少なくとも部分的には、
前記ＷＴＲＵがＣＥＬＬ＿ＰＣＨおよびＵＲＡ＿ＰＣＨ状態のうちの１つにあるときに、
ページングインジケータチャネル（ＰＩＣＨ）情報を備えるＨＳＤＰＡ関連のＰＩＣＨ情報要素を、基地局から受信し、
前記情報要素を受信した後に、ＨＳＤＰＡに対する候補ＰＩＣＨのリストを編集し、
候補の数に対応する値ｋを決定し、
Ｕ＿ＲＮＴＩ  ｍｏｄ  ｋに等しい選択指数を計算し、Ｕ＿ＲＮＴＩは、前記ＷＴＲＵのユニバーサル移動通信システム（ＵＭＴＳ）地上無線アクセスネットワーク（ＵＴＲＡＮ）無線ネットワークトランザクション識別子（Ｕ−ＲＮＴＩ）であり、および、
前記選択指数に基づいて、候補ＰＩＣＨの前記リストからＰＩＣＨ情報を選択し、
前記ＰＩＣＨ情報から導出されたページング機会の間に、スリープモードからアウェイクし、
前記選択されたＰＩＣＨ情報を使用して、ＰＩＣＨ上でページングインジケータを監視し、
高速ダウンリンク共有チャネル（ＨＳ−ＤＳＣＨ）無線ネットワークトランザクション識別子（Ｈ−ＲＮＴＩ）を監視し、
前記受信されたＨ−ＲＮＴＩを使用して、高速共有チャネルを監視し、ならびに、
Ｈ−ＲＮＴＩが受信されない場合に、前記スリープモードに戻る
ように構成されていることを特徴とするＷＴＲＵ。
【請求項１３】
前記ＷＴＲＵは、
前記Ｈ−ＲＮＴＩを受信し、および、
前記受信されたＨ−ＲＮＴＩに基づいて、高速物理ダウンリンク共有チャネル（ＨＳ−ＰＤＳＣＨ）を受信する
ように構成されていることを特徴とする請求項１２に記載のＷＴＲＵ。
【請求項１４】
前記ＷＴＲＵは、遅延期間を待った後に、前記Ｈ−ＲＮＴＩの受信を監視するように構成されていることを特徴とする請求項１２に記載のＷＴＲＵ。
【請求項１５】
前記遅延期間は、前記受信されたＰＩＣＨ情報に基づいている所定の最小時間および最大時間に基づいていることを特徴とする請求項１４に記載のＷＴＲＵ。
【発明の詳細な説明】
【技術分野】
【０００１】
本発明は、無線通信方法および装置に関する。
【背景技術】
【０００２】
高速ダウンリンクパケットアクセス（ＨＳＤＰＡ：Ｈｉｇｈ−Ｓｐｅｅｄ  Ｄｏｗｎｌｉｎｋ  Ｐａｃｋｅｔ  Ａｃｃｅｓｓ）は、広帯域符号分割多重接続（ＷＣＤＭＡ（登録商標）：ｗｉｄｅｂａｎｄ  ｃｏｄｅ  ｄｉｖｉｓｉｏｎ  ｍｕｌｔｉｐｌｅ  ａｃｃｅｓｓ）無線通信ネットワークのための第３世代パートナーシッププロジェクト（３ＧＰＰ：Ｔｈｉｒｄ  Ｇｅｎｅｒａｔｉｏｎ  Ｐａｒｔｎｅｒｓｈｉｐ  Ｐｒｏｊｅｃｔ）規格のリリース５に導入された。ＨＳＤＰＡの重要な動作原理は、高速ダウンリンク（ＤＬ：ｄｏｗｎｌｉｎｋ）パイプを共有することである。高速ＤＬパイプの一例として、高速ダウンリンク物理共有チャネル（ＨＳ−ＤＰＳＣＨ：ｈｉｇｈ−ｓｐｅｅｄ  ｄｏｗｎｌｉｎｋ  ｐｈｙｓｉｃａｌ  ｓｈａｒｅｄ  ｃｈａｎｎｅｌ）がある。ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）地上無線アクセスネットワーク（ＵＴＲＡＮ：ＵＭＴＳ  Ｔｅｒｒｅｓｔｒｉａｌ  Ｒａｄｉｏ  Ａｃｃｅｓｓ  Ｎｅｔｗｏｒｋ）は、最大１５個のＨＳ−ＤＰＳＣＨを構成する場合もある。各々のＨＳ−ＤＰＳＣＨは、送信時間間隔（ＴＴＩ：ｔｒａｎｓｍｉｓｓｉｏｎ  ｔｉｍｅ  ｉｎｔｅｒｖａｌ）単位に、例えば２ミリ秒ごとに、ネットワーク内で動作するすべての無線送信／受信ユニット（ＷＴＲＵ：ｗｉｒｅｌｅｓｓ  ｔｒａｎｓｍｉｔ／ｒｅｃｅｉｖｅ  ｕｎｉｔ）によって共有することができる。その結果、ダウンリンクチャネルについての情報は、２ミリ秒間隔ごとに、異なるＷＴＲＵに送ることができる。
【０００３】
ＷＴＲＵがＨＳ−ＤＰＳＣＨ共有チャネル上の情報の所有権を決定できるようにするため、基地局は、１つまたは複数の並列の高速共有制御チャネル（ＨＳ−ＳＣＣＨ：ｈｉｇｈ−ｓｐｅｅｄ  ｓｈａｒｅｄ  ｃｏｎｔｒｏｌ  ｃｈａｎｎｅｌ）も送信する。特に、ＨＳ−ＳＣＣＨは、受信側ＷＴＲＵが、ＨＳ−ＤＰＳＣＨ上で送信されたどの情報が特定のＷＴＲＵに宛てられているかを決定できるようにし、また特定のＷＴＲＵが、送信された情報を回復できるようにする詳細なデータを提供する。
【０００４】
ＨＳＤＰＡでは、基地局は、高速データ伝送を達成するために重要な３つの概念を用いる。重要な３つの概念は、適応変調符号化（ＡＭＣ：ａｄａｐｔｉｖｅ  ｍｏｄｕｌａｔｉｏｎ  ａｎｄ  ｃｏｄｉｎｇ）、ハイブリッド自動再送要求（ＨＡＲＱ：ｈｙｂｒｉｄ−ａｕｔｏｍａｔｉｃ  ｒｅｐｅａｔ  ｒｅｑｕｅｓｔ）を使用した再送、および基地局スケジューリングである。
【０００５】
基地局は、基地局と通信しているＷＴＲＵによって検知される、変化するチャネル状態を利用することができる。これを遂行するために、基地局は、例えば基地局に近いＷＴＲＵについては１６直交振幅変調（ＱＡＭ：ｑｕａｄｒａｔｕｒｅ  ａｍｐｌｉｔｕｄｅ  ｍｏｄｕｌａｔｉｏｎ）を使用し、またセルの周縁（ｅｄｇｅ）のＷＴＲＵについては四位相偏移変調（ＱＰＳＫ：ｑｕａｄｒａｔｕｒｅ  ｐｈａｓｅ  ｓｈｉｆｔ  ｋｅｙｉｎｇ）を使用して、ＤＬスループットを最大にするように送信をスケジューリングすることができる。こうした高速スケジューリングは、ＨＡＲＱを使用して補完することができ、ＷＴＲＵで受信される、誤りを含むトランスポートブロックの再送が可能となる。ＨＡＲＱは、物理層に実装され、最大限に活用するために、複数のＨＡＲＱプロセスを同時に行うことが許される。
【０００６】
現状、ＨＳＤＰＡに準拠したネットワークにおいて発生している問題は、ＵＴＲＡＮ内の待ち時間、特にパケット交換（ＰＳ：ｐａｃｋｅｔ  ｓｗｉｔｃｈｅｄ）および回線交換（ＣＳ：ｃｉｒｃｕｉｔ  ｓｗｉｔｃｈｅｄ）呼出しのための設定遅延である。ＷＴＲＵ状態遷移中の遅延を低減することは、ネットワーク性能を向上させる１つの手法である。
【０００７】
図１に示すように、現在の規格に準拠している場合、ＷＴＲＵは、接続モードにあるときの４つの可能な状態、すなわちＣＥＬＬ＿ＤＣＨ、ＣＥＬＬ＿ＦＡＣＨ、ＵＲＡ＿ＰＣＨまたはＣＥＬＬ＿ＰＣＨのうちの１つの状態にある。ＷＴＲＵの状態は、ＷＴＲＵトラフィック量および移動性に基づいて定まる。ＷＴＲＵは、Ｃｅｌｌ＿ＦＡＣＨまたはＣｅｌｌ＿ＤＣＨの状態である場合にだけ、ＵＴＲＡＮと通信することができる。Ｃｅｌｌ＿ＰＣＨおよびＵＲＡ＿ＰＣＨ状態は、省電力動作のためのものである。ＵＲＡ＿ＰＣＨは、セルが頻繁に変更されるような非常に移動性の高いＷＴＲＵによって使用される。これらの省電力状態の双方とも、ＷＴＲＵは、ＵＴＲＡＮにトラフィックを送るためのアップリンク機構を有さない。しかし、ＷＴＲＵは、Ｃｅｌｌ＿ＦＡＣＨ状態またはＣｅｌｌ＿ＤＣＨ状態へと状態を変更するようにそれに通知するために呼び出される場合がある。
【０００８】
ページング手順は、２ステップのプロセスである。バッテリ電力節約のために、ＷＴＲＵは、ＷＴＲＵの受信機回路（ｒｅｃｅｉｖｅｒ  ｃｈａｉｎ）を周期的に止める不連続の受信（ＤＲＸ：ｄｉｓｃｏｎｔｉｎｕｏｕｓ  ｒｅｃｅｐｔｉｏｎ）サイクルで構成される。これは、スリープモードとして知られている。ＷＴＲＵは、ページング機会として知られている特定のフレームの間だけ覚醒している（受信機回路がオンである）。各々のページング機会内で、ＷＴＲＵは、ページングインジケータチャネル（ＰＩＣＨ：Ｐａｇｉｎｇ  Ｉｎｄｉｃａｔｏｒ  Ｃｈａｎｎｅｌ）上でページングインジケータを聴取する。ページングインジケータは、２次共通制御物理チャネル（Ｓ−ＣＣＰＣＨ：Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）に載せて運ばれるページングチャネル（ＰＣＨ：ｐａｇｉｎｇ  ｃｈａｎｎｅｌ）を監視するようにＷＴＲＵに指示する。ＰＣＨは、論理ページング制御チャネル（ＰＣＣＨ：Ｐａｇｉｎｇ  Ｃｏｎｔｒｏｌ  Ｃｈａｎｎｅｌ）にマップされるトランスポートチャネルである。
【０００９】
複数のＳ−ＣＣＰＣＨを使用することもできる。ＷＴＲＵは、初期ＷＴＲＵ識別情報（Ｉｄｅｎｔｉｔｙ）に基づいて複数のＳ−ＣＣＰＣＨのうちから選択する。選択されたＳ−ＣＣＰＣＨは、単一のＰＩＣＨに関連付けられる。これは、ページング表示のためにＷＴＲＵが監視するＰＩＣＨである。ＰＩＣＨと、Ｓ−ＣＣＰＣＨ上の関連するページングメッセージとの間に厳密な遅延要件がある。この遅延オフセットは、ＷＴＲＵがＰＩＣＨを、次いでページングメッセージを受信できるようにするように定義される。３ＧＰＰリリース６では、このオフセットは７，６８０チップ、または２ミリ秒と指定されている。ＰＣＣＨを回復した後に、ＷＴＲＵは、Ｃｅｌｌ＿ＦＡＣＨ状態に入って、ＣＥＬＬ  ＵＰＤＡＴＥを実行し、または次のページング機会までスリープモードに戻ることができる。
【００１０】
この状態遷移時間を低減するための１つの技術として、ＰＣＨではなく高速ダウンリンク共有チャネル（ＨＳ−ＤＳＣＨ）にＰＣＣＨをマップすることができる。ダウンリンク速度が速くなると、ページングメッセージの伝送時間が短くなり、状態遷移が速くなる。このプロトコルスタック構造を図２に示す。ここで、ＰＣＣＨをＨＳ−ＤＳＣＨにマップするときに存在する複数の問題が認識される。
【発明の概要】
【発明が解決しようとする課題】
【００１１】
第１に、ＨＳＤＰＡは現時点では、Ｃｅｌｌ＿ＤＣＨ状態でだけしか許されておらず、ＷＴＲＵ変数ＨＳ−ＤＳＣＨ＿ＲＥＣＥＰＴＩＯＮによって制御される。
【００１２】
第２に、ＨＳ−ＤＳＣＨは、ダウンリンクで動作するように構成しなければならない。これに伴って、ＷＴＲＵにアドレスＨＳ−ＤＳＣＨ無線ネットワーク仮識別子（Ｈ−ＲＮＴＩ：ＨＳ−ＤＳＣＨ  Ｒａｄｉｏ  Ｎｅｔｗｏｒｋ  Ｔｅｍｐｏｒａｒｙ  Ｉｄｅｎｔｉｆｉｅｒ）を割り当てること、ＨＳ−ＳＣＣＨチャネライゼーションコードを構成すること、ＨＡＲＱプロセス数およびメモリ分割などのＨＡＲＱ情報も構成しなければならない。現在、Ｃｅｌｌ＿ＰＣＨおよびＵＲＡ＿ＰＣＨ状態でこうした構成を可能にするように定義された機構はない。
【００１３】
第３に、アップリンク通信が可能ではないので、Ｃｅｌｌ＿ＰＣＨまたはＵＲＡ＿ＰＣＨ状態のＷＴＲＵは、ＵＴＲＡＮにチャネル品質指標（ＣＱＩ：ｃｈａｎｎｅｌ  ｑｕａｌｉｔｙ  ｉｎｄｉｃａｔｉｏｎ）情報を送ることができない。したがって、基地局は、ＨＳＤＰＡが必要とするＡＭＣ技術を十分に利用することができない。
【００１４】
第４に、ＷＴＲＵは、ＰＩＣＨ上でページングインジケータを受信すると、関連するＳ−ＣＣＰＣＨ内のページングメッセージを予測する。しかし、このＳ−ＣＣＰＣＨは、ＰＩＣＨの７，６８０チップ後に生じる。ＨＳＤＰＡでは、基地局は、ＷＴＲＵトラフィックをスケジューリングする。したがって、ＰＩＣＨとＨＳ−ＤＳＣＨとの間で厳密なタイミング関係を維持することは可能であるが、この関係を維持することによって、ＨＳ−ＤＳＣＨを介した伝送の柔軟な基地局スケジューリングが制限される。柔軟なＨＳ−ＤＳＣＨの基地局スケジューリングが制限されるため、他のタイプのトラフィック（例えば個別トラフィックチャネル（ＤＴＣＨ：ｄｅｄｉｃａｔｅｄ  ｔｒａｆｆｉｃ  ｃｈａｎｎｅｌ）および個別制御チャネル（ＤＣＣＨ：ｄｅｄｉｃａｔｅｄ  ｃｏｎｔｒｏｌ  ｃｈａｎｎｅ）も、ＨＳ−ＤＳＣＨを介して運ばれることから望ましくないこととなる。
【００１５】
したがって、上記に言及された欠点を伴わない、ＣＥＬＬ＿ＰＣＨおよびＵＲＡ＿ＰＣＨ状態のＷＴＲＵのＨＳＤＰＡページングが求められている。
【課題を解決するための手段】
【００１６】
ＨＳＤＰＡ接続モードＣＥＬＬ＿ＰＣＨまたはＵＲＡ＿ＰＣＨ状態におけるページングのための装置および方法が提供される。好ましくは、ＷＴＲＵは、基地局によってブロードキャストされる様々なＰＩＣＨ情報を選択するように構成される。ＷＴＲＵは好ましくは、選択されたＰＩＣＨ情報に基づいてページングメッセージを受信するように構成される。一実施形態において、好ましいＷＴＲＵは、ＰＩＣＨ、ＨＳ−ＳＣＣＨおよびＨＳ−ＰＤＳＣＨに基づいてページングメッセージを受信するように構成される。別の実施形態において、好ましいＷＴＲＵは、ＰＩＣＨおよびＨＳ−ＰＤＳＣＨに基づいてページングメッセージを受信するように構成される。両方の実施形態において、ＷＴＲＵがある期間の間ＨＳ−ＳＣＣＨまたはＨＳ−ＰＤＳＣＨをリッスンし、ページングメッセージが受信されない場合はスリープモードに戻り得るように、時間遅延パラメータが好ましくは使用される。
【００１７】
より詳細な理解は、添付の図面と併せて、例示するために与えられた以下の説明から得ることができる。
【図面の簡単な説明】
【００１８】
【図１】無線リソース制御（ＲＲＣ：ｒａｄｉｏ  ｒｅｓｏｕｒｃｅ  ｃｏｎｔｒｏｌ）接続モードのための従来のＷＴＲＵ状態のブロック図である。
【図２】論理ページング制御チャネル（ＰＣＣＨ）をマップするための従来のページングチャネル（ＰＣＨ）プロトコルスタック構造を、ＨＳＤＰＡページングのためのＰＣＣＨからＨＳ−ＤＳＣＨへのマッピング、およびＨＳＰＤＡページングのためのＤＣＣＨ／ＤＴＣＨからＨＳ−ＤＳＣＨへのマッピングと比べた比較を提供する比較スタック図である。
【図３】受信されたシステム情報ブロードキャストからＰＩＣＨ情報を選択するための方法のフローチャートである。
【図４】本発明の教示による複数のＨＳＤＰＡページング手順を示す手順図である。
【図５】ＰＩＣＨフレームと、関連する高速共有制御チャネル（ＨＳ−ＳＣＣＨ）サブフレームとの間のタイミング関係を示すタイミング図である。
【図６】ＰＩＣＨフレームと、関連するＨＳ−ＰＤＳＣＨサブフレームとの間のタイミング関係を示すタイミング図である。
【図７】本発明の教示に従ってページングを行うように構成されたＨＳＤＰＡネットワークの図である。
【発明を実施するための形態】
【００１９】
本明細書では、用語「無線送信／受信ユニット（ＷＴＲＵ：ｗｉｒｅｌｅｓｓ  ｔｒａｎｓｍｉｔ／ｒｅｃｅｉｖｅ  ｕｎｉｔ）」には、これに限られないが、ユーザ装置（ＵＥ：ｕｓｅｒ  ｅｑｕｉｐｍｅｎｔ）、移動局、固定または移動加入者装置、ページャ、携帯電話、携帯情報端末（ＰＤＡ：ｐｅｒｓｏｎａｌ  ｄｉｇｉｔａｌ  ａｓｓｉｓｔａｎｔ）、コンピュータ、または無線環境で動作することができる他の任意の種類のユーザ装置が含まれる。本明細書では、用語「基地局」には、これに限られないが、Ｎｏｄｅ  Ｂ、サイトコントローラ、アクセスポイント（ＡＰ：ａｃｃｅｓｓ  ｐｏｉｎｔ）、または無線環境内で動作することができる他の任意のタイプのインターフェース装置が含まれる。
【００２０】
以下、高速ダウンリンクパケットアクセス（ＨＳＤＰＡ）無線通信システム内のＣｅｌｌ＿ＰＣＨおよびＵＲＡ＿ＰＣＨ状態におけるページングのための装置および方法を説明する。すなわち、３つの好ましいＷＴＲＵ構成および方法を説明するが、その１つでは、ページングインジケータチャネル（ＰＩＣＨ）の使用は任意選択による。第１の好ましい構成および方法では、ＰＩＣＨおよびページンググループが使用される。第２の好ましい構成および方法では、ＰＩＣＨを使用するのではなく、ページンググループが使用され、高速共有制御チャネル（ＨＳ−ＳＣＣＨ）シグナリング手順によって、各ページンググループをそれ自体のグループ高速ダウンリンク共有チャネル（ＨＳ−ＤＳＣＨ）無線ネットワークトランザクション識別子（Ｈ−ＲＮＴＩ：ＨＳ−ＤＳＣＨ  ｒａｄｉｏ  ｎｅｔｗｏｒｋ  ｔｒａｎｓａｃｔｉｏｎ  ｉｄｅｎｔｉｆｉｅｒ）に関連付けることが可能となる。ただし、ＰＩＣＨは任意選択により、従来の（ｌｅｇａｃｙ）ＷＴＲＵをサポートするために維持することもできる。第３の好ましい構成および方法では、ＰＩＣＨおよび高速ダウンリンク物理共有チャネル（ＨＳ−ＤＰＳＣＨ）が使用される。
【００２１】
以上の３つの好ましい構成および方法のすべてにおいて、ページング制御チャネル（ＰＣＣＨ）をＨＳ−ＤＳＣＨにマップするためには、高速チャネル構成情報をＷＴＲＵに提供しなければならない。この構成情報は、既存のシステム情報ブロック（ＳＩＢ：ｓｙｓｔｅｍ  ｉｎｆｏｒｍａｔｉｏｎ  ｂｌｏｃｋ）に新しい情報要素を追加し、かつ／または新しいＳＩＢおよび関連するスケジュールを定義することによって、システム情報の一部として基地局のブロードキャストにおいて受信することができる。
【００２２】
ブロードキャストされる構成情報は、ＨＳＤＰＡを介したＰＣＣＨの能力、ページングメッセージ用に使用される共通ＨＳ−ＤＳＣＨ無線ネットワークトランザクション識別子（Ｈ−ＲＮＴＩ）、ＨＳ−ＳＣＣＨスクランブリングコードおよびチャネライゼーションコードを含む共通高速ダウンリンク物理共有チャネル（ＨＳ−ＰＤＳＣＨ）情報並びにＨＡＲＱプロセスの数、メモリ分割に関連するパラメータなどを含む共通ＨＡＲＱ情報を含むことができる。
【００２３】
ブロードキャストされる例示的な構成情報メッセージは、以下の表１に示される。「必要性」の欄は、その情報要素（ＩＥ：ｉｎｆｏｒｍａｔｉｏｎ  ｅｌｅｍｅｎｔ）が必須か、それとも任意のパラメータかを示す。ＭＤは、そのＩＥが「必須」であり、その機能を使用することができるように、ブロードキャストされ、ＵＥが受信できなければならないことを示す。「マルチ」の欄は、親パラメータについて、子パラメータのいくつのインスタンスが許容されるかを示す。例えば、ＨＳＤＰＡサポートのページングリストでは、１から＜ｍａｘＳＣＣＰＣＨ＞のＰＩＣＨが存在することができる。
【００２４】
【表１】
2014168275.tif 000003
【００２５】
表１に示すＨＳＤＰＡ関連のＰＩＣＨ情報要素は、ＣＥＬＬ＿ＦＡＣＨ状態で動作するＷＴＲＵのために使用する情報要素ＤＬ−ＨＳＰＤＳＣＨシステム情報と共にブロードキャストし、また受信することもでき、あるいはこれらの要素は、ＣＥＬＬ＿ＰＣＨまたはＵＲＡ＿ＰＣＨ状態で動作するＷＴＲＵだけにブロードキャストしてもよい。
【００２６】
図３を参照すると、適切に構成されたＷＴＲＵについて、ＨＳＰＤＡベースのページングに関するＰＩＣＨ情報を選択するための方法３００を示している。方法３００は、「ＨＳＤＰＡ関連ＰＩＣＨ  ｉｎｆｏ」情報要素（ＩＥ）を受信すること（ステップ３１０）から開始する。このＩＥは、基地局から送信され、またブロードキャストすることもできる。ＩＥを受信した後、ＷＴＲＵは、ＨＳＤＰＡ情報のための候補ＰＩＣＨのリストを編集し、候補の数に対応する値ｋを決定する（ステップ３２０）。次いで、ＷＴＲＵは、式（１）に従ってＰＩＣＨ候補選択指数ＩｎｄｅｘPICHを計算する。
ＩｎｄｅｘPICH＝Ｕ＿ＲＮＴＩ  ｍｏｄ  ｋ                          式（１）
ただし、Ｕ−ＲＮＴＩは、ＵＴＲＡＮ無線ネットワーク仮識別子である（ステップ３３０）。ＷＴＲＵは最後に、計算されたＩｎｄｅｘPICHに基づいて、編集されたリストからＰＩＣＨ情報を選択する（ステップ３４０）。
【００２７】
図４を参照すると、本明細書で開示した好ましいＨＳＤＰＡページング手順の信号フロー図４００には、サービス無線ネットワーク制御装置（ＳＲＮＣ：Ｓｅｒｖｉｎｇ  Ｒａｄｉｏ  Ｎｅｔｗｏｒｋ  Ｃｏｎｔｒｏｌｌｅｒ）４０５、制御無線ネットワーク制御装置（ＣＲＮＣ：Ｃｏｎｔｒｏｌｌｉｎｇ  Ｒａｄｉｏ  Ｎｅｔｗｏｒｋ  Ｃｏｎｔｒｏｌｌｅｒ）４１０、基地局４１５およびＷＴＲＵ４２０が含まれている。信号フロー図４００は一般に、ＷＴＲＵ物理層、ＷＴＲＵ−Ｌ１  ４２５とＷＴＲＵ  ＲＲＣ４３０層の両方を示しているＷＴＲＵ４２０を除いて、示されたすべてのエンティティの無線リソース制御（ＲＲＣ：ｒａｄｉｏ  ｒｅｓｏｕｒｃｅ  ｃｏｎｔｒｏｌ）層を示している。しかし、様々な層が、個々で説明する諸機能を実装することができることを理解されたい。例示的な信号フロー図４００は、不連続受信（ＤＲＸ）モードのＷＴＲＵに基づいたものである。
【００２８】
基地局４１５は、ＷＴＲＵ４２０に宛てられたページングメッセージのスケジューリングのためにＷＴＲＵ４２０のＤＲＸ情報を使用する。このようにして、基地局４１５は、ＷＴＲＵ４２０がスリープモードでないときに、ＷＴＲＵ４２０に宛てられたページングメッセージをスケジューリングし、それによって、ＷＴＲＵ４２０がＨＳ−ＳＣＣＨを監視しなければならない時間量を減少させる。ＷＴＲＵ４２０は、ＣＥＬＬ＿ＰＣＨまたはＵＲＡ＿ＰＣＨ状態に入ると、ＨＳＤＰＡページングチャネルを構成するためにシステム情報を受信する（ステップ４３５）。ＷＴＲＵ４２０は、ＨＳ−ＳＣＣＨおよび／またはＨＳ−ＰＤＳＣＨ、並びにＨＡＲＱ設定詳細とともに、その共通のページングＨ−ＲＮＴＩを決定してもよい。あるいは、ＷＴＲＵ固有のＨ−ＲＮＴＩをページングのために使用することができる。ページングチャネルに関連する任意の数のＨＳ−ＳＣＣＨがあってもよく、ＷＴＲＵ４２０は、初期ＷＴＲＵ識別情報に基づくものなど、当業者に知られた手順を使用して、これらうちから選択することができる。
【００２９】
次に図４のケース１を具体的に参照すると、ＵＴＲＡＮがＷＴＲＵ４２０を呼び出す必要があると、ＳＲＮＣ４０５において信号を受信する。ＳＲＮＣ４０５は、必要ならば、Ｉｕｒインターフェースを介してＣＲＮＣ４１０にメッセージを転送する（ステップ４４０）。ＣＲＮＣ４１０は、ＷＴＲＵに宛てられたメッセージ（例えばページングタイプ１メッセージ）をＩｕｂインターフェースを介して基地局４１５に転送する（ステップ４４５）。ＷＴＲＵ−Ｌ１  ４２５のＤＲＸタイミングに関する情報を有する基地局４１５内に常駐するスケジューラ機能は、ＷＴＲＵが動作している間しかメッセージを送らないことを保証する。これは、当業者には明らかな様々なやり方で実装することができる。例えば、単に、基地局４１５は、基地局４１５がサービスしているすべてのＷＴＲＵに共通のページング送信キューを維持してもよい。ＷＴＲＵ−Ｌ１  ４２５がそのＤＲＸモードのアウェイク状態に入る直前に、基地局４１５のスケジューリング機能は、メッセージがＷＴＲＵ−Ｌ１  ４１５に宛てられているかどうか判断するためにページング送信キューに問い合わせを行う。判断が肯定である場合、基地局４１５は、ＰＩＣＨ上でページングインジケータを送信する（ステップ４５０）。
【００３０】
最小時間遅延τPICH_HSSCCH_MINと最大時間遅延τPICH_HSSCCH_MAXとの間の時間間隔τPICHの後、基地局４１５は、ＨＳ−ＳＣＣＨ上で、共通またはＷＴＲＵ固有のページングＨ−ＲＮＴＩアドレスを使用し、対応するメッセージを送信し（ステップ４５５）、メッセージはＨＳ−ＰＤＳＣＨにマップされる（ステップ４６０）。パラメータτPICH_HSSCCH_MINはハードコードして、予め定めておくことができる。パラメータτPICH_HSSCCH_MAXは、システム情報あるいは他のシステム送信またはブロードキャストの一部として、基地局４１５からブロードキャストすることもできる。時間遅延パラメータτPICHは、数学的に以下のように定義することができる。
τPICH_HSSCCH_MIN≦τPICH≦τPICH_HSSCCH_MAX                式（２）
【００３１】
ＰＩＣＨおよび後続の伝送チャネルの送信のタイミングを取るための別の方法を使用することができる。メッセージがＣＲＮＣ４１０によって基地局４１５に転送されると、基地局４１５は、ＷＴＲＵ固有の送信キューにメッセージを再び格納する。基地局４１５のスケジューリング機能は、ＷＴＲＵ４２０のＤＲＸ情報に基づいて、アウェイク時間の間、ＷＴＲＵ４２０に送信するメッセージをスケジューリングする。メッセージは、将来の送信時間間隔（ＴＴＩ）の間にスケジューリングされる。換言すると、メッセージは、現在のＴＴＩ（ＴＴＩCurrent）に時間デルタΔを足した値に基づいて送信するようにスケジューリングされる。基地局４１５は、ＷＴＲＵ−Ｌ１  ４２５のＤＲＸサイクルに基づいてΔを計算する。時間間隔Δの間、基地局４１５は、いずれかのＭＡＣ−ｈｓパケットデータ単位（ＰＤＵ：ｐａｃｋｅｔ  ｄａｔａ  ｕｎｉｔ）が現在のＴＴＩ、ＴＴＩcurrent内の送信を必要とするかどうか判断するために、さらなるスケジューリングアルゴリズムを実装してもよい。基地局４１５は、スケジューリングされた将来時間（ＴＴＩcurrent＋Δ）の直前に、ＰＩＣＨ上でページングインジケータを送信することもできる。ＰＩＣＨと、関連するＴＴＩとの間の時間は、固定であっても、可変であってもよく、システム情報の一部としてハードコードしてもよく、ブロードキャストしてもよい。
【００３２】
ＷＴＲＵ−Ｌ１  ４２５は、ページングインジケータを探して覚醒中にＰＩＣＨを監視する。ページングインジケータが見つかる場合、ＷＴＲＵ−Ｌ１  ４２５は、上記実施形態のうちのいずれが使用されるかに応じて、時間間隔τPICH、すなわちΔの間、ＨＳ−ＳＣＣＨを監視し、Ｈ−ＲＮＴＩを探索する。ページングインジケータが見つからない場合は、ＷＴＲＵ−Ｌ１  ４２５は、スリープモードに再び入り、次に来るページングインジケータを待つ。ＷＴＲＵ−Ｌ４２５は、ページングインジケータ、および共通またはＷＴＲＵ固有のページングＨ−ＲＮＴＩの受信に成功した場合、ＨＳ−ＰＤＳＣＨからメッセージを取り出し、上位層のＷＴＲＵ  ＲＲＣ４３０にメッセージを転送する（ステップ４６５）。
【００３３】
あるいは、図４に示すケース２では、ＰＩＣＨは使用されない。基地局４１５は、Ｉｕｂインターフェースを介してＣＲＮＣ４１０から、ページングタイプＩメッセージなどのメッセージを受信すると、Ｕｕインターフェースを介してＨＳ−ＳＣＣＨ上でＷＴＲＵ−Ｌ１  ４２５にメッセージを送信する（ステップ４７０）。ここで、グループまたはＷＴＲＵ固有のいずれかのＨ−ＲＮＴＩを使用することができる。ページングメッセージは、ＷＴＲＵ４２０のスケジューリングされたＤＲＸウェイクアップ時間の後、予め定められた数のＴＴＩ内に送信してもよいし、上述したように時間間隔ウィンドウ（ｔｉｍｅ  ｉｎｔｅｒｖａｌ  ｗｉｎｄｏｗ）τPICH内に送信してもよい。ＷＴＲＵ４２０が、ページングインジケータが存在しており、ＷＴＲＵ４２０に宛てられていると判断すると、適切なＨＳ−ＰＤＳＣＨは、ＷＴＲＵ−Ｌ１  ４２５によって監視され（ステップ４７５）、メッセージは受信されて上位層に転送される（ステップ４８０）。
【００３４】
あるいは、図４に示すケース３で、ＰＩＣＨは使用されるが、ＨＳ−ＳＣＣＨは不要である。Ｉｕｂインターフェースを介してＣＲＮＣ４１０から、ページングタイプＩメッセージなどのメッセージを受信すると、基地局４１５は、Ｕｕインターフェースを介してＰＩＣＨ上でＷＴＲＵ−Ｌ１  ４２５にメッセージを送信する（ステップ４８５）。式（３）を参照して以下に述べるようにτPICH_HSPDSCH_MINとτPICH_HSPDSCH_MAXとの間の時間間隔τPICHの後、基地局４１５は、ＨＳ−ＰＤＳＣＨを送信する（ステップ４９０）。ＷＴＲＵ４２０が共通のＨ−ＲＮＴＩで動作するように構成されている（換言すると、専用のＨ−ＲＮＴＩが割り当てられていない）場合、ＷＴＲＵ−Ｌ１  ４２５は、ＰＩＣＨの検出後、τPICH_HSSCCH_MINとτPICH_HSSCCH_MAXとの間に送信された送信済みＨＳ−ＰＤＳＣＨを受信する。すなわち、ＨＳ−ＳＣＣＨは必要とされない。ＨＳ−ＰＤＳＣＨのうちの１つまたはいずれかのソフト合成（ｓｏｆｔ−ｃｏｍｂｉｎａｔｉｏｎ）から肯定的なＣＲＣが得られる場合、受信したメッセージは、上位層に転送される（ステップ４９５）。
【００３５】
上述のケースにおいて、定められた時間間隔（τPICHすなわちΔ）内に様々なチャネルのいずれを介してもメッセージが受信されない場合、ＷＴＲＵは、スリープモードに再び入ってもよい。上述の様々な実施形態において、ＷＴＲＵ４２０がページングメッセージを受信し処理した後、当業者に知られているセル更新手順を実行してもよい（ステップ５００）。
【００３６】
図４のケース１では、ページングインジケータを含むＰＩＣＨフレームと、ＷＴＲＵで受信された関連するＨＳ−ＳＣＣＨの第１の受信サブフレームとの間に、時間遅延が存在する。ＰＩＣＨと、ＨＳ−ＳＣＣＨを介して送信された後続メッセージとの間の遅延τPICHは、式（２）によって上記に定義されており、τPICH_HSSCCH_MINとτPICH_HSSCCH_MAXの間にある。一般に、基地局は、ＰＩＣＨ送信のτPICH_HSSCCH_MIN後、ＨＳ−ＳＣＣＨの送信を開始する。しかし、基地局は、ＨＳ−ＳＣＣＨを送信するため、τPICH_HSSCCH_MAXまで待つことがある。このタイミング関係を図５に示す。関連するＨＳ−ＳＣＣＨの第１のサブフレームは、送信されたＰＩＣＨフレームの時間遅延τPICH後に開始する。
【００３７】
図４のケース３では、時間遅延が、ページングインジケータを含むＰＩＣＨフレームと、関連するＨＳ−ＰＤＳＣＨの第１の受信サブフレームとの間に存在する。上記の式（２）と同様に、ＰＩＣＨと、ＨＳ−ＰＤＳＣＨを介して送信される後続メッセージとの間の遅延τPICHは、以下のように定義される。
τPICH_HSPDSCH_MIN≦τPICH≦τPICH_HSPDSCH_MAX              式（３）
一般に、基地局は、ＰＩＣＨ送信のτPICH_HSPDSCH_MIN後にＨＳ−ＰＤＳＣＨの送信を開始する。しかし、基地局は、ＨＳ−ＰＤＳＣＨを送信するため、τPICH_HSPDSCH_MAXまで待つことがある。このタイミング関係を図６に示す。関連するＨＳ−ＰＤＳＣＨの第１のサブフレームは、送信されたＰＩＣＨフレームの後、時間遅延τPICH後に開始する。
【００３８】
上述の構成および方法に加えて、ブール変数ＨＳ＿ＤＳＣＨ＿ＲＥＣＥＰＴＩＯＮを評価するための規則は、Ｃｅｌｌ＿ＰＣＨ状態およびＵＲＡ＿ＰＣＨ状態におけるＨＳＤＰＡ受信を可能にするように修正してもよい。特に、この変数は、ＷＴＲＵがＣｅｌｌ＿ＰＣＨおよびＵＲＡ＿ＰＣＨ状態であり、ＤＬ無線リンクがサービスＨＳ−ＤＳＣＨ無線リンクとして構成され、またＨＳ−ＤＳＣＨにマップされた少なくとも１つの無線ベアラがある場合には、評価結果が真であるべきである（すなわちＨＳＤＰＡを介したページングがサポートされる）。
【００３９】
図７を参照すると、ＨＳＤＰＡ対応の無線通信ネットワーク７００は、ＷＴＲＵ７１０、基地局７２０、ＲＮＣ７３０およびコアネットワーク７４０を備えている。基地局７２０は、本明細書で説明するように、ＰＩＣＨ、ＨＳ−ＳＣＣＨおよびＨＳ−ＰＤＳＣＨを介したページングメッセージのスケジューリングのためのスケジューラ７５０を備える。スケジューラ７５０は、さらに基地局７２０トランシーバ７６０を介してＲＮＣ７３０とＷＴＲＵ７１０の両方から受信された様々な基地局情報を処理する処理能力を有することもできる。ＷＴＲＵ７１０は、プロセッサ７７０と、トランシーバ７８０とを備える。プロセッサ７７０は好ましくは、図３および図４を参照して上述したものなど、ＷＴＲＵ７１０が必要とする様々な処理タスクを実行するよう構成される。プロセッサ７７０は好ましくは、ＷＴＲＵ７１０のＤＲＸサイクルを制御し、要望に応じて基地局７２０にＤＲＸ情報を提供するようにさらに構成される。トランシーバ７８０は好ましくは、ＰＩＣＨ、ＨＳ−ＳＣＣＨおよびＨＳ−ＰＤＳＣＨを含め、基地局７２０によって送信された様々なチャネルを受信するように構成される。
【００４０】
特徴および要素について、上記では特定の組合せで説明したが、それぞれの特徴または要素は、他の特徴および要素なしで単独に使用してもよいし、他の特徴および要素を伴うまたは伴わない様々な組合せで使用してもよい。本明細書に提供された諸方法またはフローチャートは、汎用コンピュータまたはプロセッサによって実行するためにコンピュータ読取り可能記憶媒体内に組み込まれたコンピュータプログラム、ソフトウェアまたはファームウェアに実装してもよい。コンピュータ読取り可能記憶媒体の例には、読取り専用メモリ（ＲＯＭ：ｒｅａｄ  ｏｎｌｙ  ｍｅｍｏｒｙ）、ランダムアクセスメモリ（ＲＡＭ：ｒａｎｄｏｍ  ａｃｃｅｓｓ  ｍｅｍｏｒｙ）、レジスタ、キャッシュメモリ、半導体記憶装置、内部ハードディスクおよび取外し可能ディスクなどの磁気媒体、磁気光媒体、ならびにＣＤ−ＲＯＭディスクおよびデジタル多用途ディスク（ＤＶＤ：ｄｉｇｉｔａｌ  ｖｅｒｓａｔｉｌｅ  ｄｉｓｋ）などの光媒体が含まれる。
【００４１】
適切なプロセッサには、例を挙げると、汎用プロセッサ、特別目的プロセッサ、従来型プロセッサ、デジタル信号プロセッサ（ＤＳＰ：ｄｉｇｉｔａｌ  ｓｉｇｎａｌ  ｐｒｏｃｅｓｓｏｒ）、複数のマイクロプロセッサ、ＤＳＰコアに関連する１つまたは複数のマイクロプロセッサ、コントローラ、マイクロコントローラ、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）回路、他の任意のタイプの集積回路（ＩＣ：ｉｎｔｅｇｒａｔｅｄ  ｃｉｒｃｕｉｔ）および／またはステートマシンが含まれる。
【００４２】
無線送信／受信ユニット（ＷＴＲＵ）、ユーザ装置（ＵＥ）、端末、基地局、無線ネットワーク制御装置（ＲＮＣ：ｒａｄｉｏ  ｎｅｔｗｏｒｋ  ｃｏｎｔｒｏｌｌｅｒ）または任意のホストコンピュータで使用する無線周波数トランシーバを実装するために、ソフトウェアに関連するプロセッサを使用してもよい。ＷＴＲＵは、カメラ、ビデオカメラモジュール、テレビ電話、スピーカフォン、振動装置、スピーカ、マイクロホン、テレビトランシーバ、ハンズフリーヘッドセット、キーボード、Ｂｌｕｅｔｏｏｔｈ（登録商標）モジュール、周波数変調（ＦＭ：ｆｒｅｑｕｅｎｃｙ  ｍｏｄｕｌａｔｅｄ）無線装置、液晶ディスプレイ（ＬＣＤ：ｌｉｑｕｉｄ  ｃｒｙｓｔａｌ  ｄｉｓｐｌａｙ）表示装置、有機発光ダイオード（ＯＬＥＤ：ｏｒｇａｎｉｃ  ｌｉｇｈｔ−ｅｍｉｔｔｉｎｇ  ｄｉｏｄｅ）表示装置、デジタル音楽プレーヤー、メディアプレーヤー、ビデオゲームプレーヤーモジュール、インターネットブラウザ、および／または任意の無線ローカルエリアネットワーク（ＷＬＡＮ：ｗｉｒｅｌｅｓｓ  ｌｏｃａｌ  ａｒｅａ  ｎｅｔｗｏｒｋ）モジュールや超広帯域（ＵＷＢ：Ｕｌｔｒａ  Ｗｉｄｅ  Ｂａｎｄ）モジュールなど、ハードウェアおよび／またはソフトウェアに実装されたモジュールと共に使用してもよい。
【００４３】
実施態様
１．高速ダウンリンクパケットアクセス（ＨＳＤＰＡ）無線通信ネットワーク内で動作する無線送信／受信ユニット（ＷＴＲＵ）を呼び出す方法であって、
ページングインジケータチャネル（ＰＩＣＨ）情報を含む情報要素を受信するステップと、
ＰＩＣＨ情報を含む受信された情報要素の数を決定するステップと
を備える方法。
２．ページングメッセージを受信する際に使用するＰＩＣＨ情報を選択するステップをさらに備える実施態様１の方法。
３．選択は、ＷＴＲＵのユニバーサル移動通信システム（ＵＭＴＳ）地上無線アクセスネットワーク（ＵＴＲＡＮ）無線ネットワークトランザクション識別情報（Ｕ−ＲＮＴＩ）に基づく実施態様２の方法。
４．ＰＩＣＨ情報は、ｋを受信されたＰＩＣＨ情報要素の数として、Ｕ−ＲＮＴＩ  ｍｏｄ  ｋに基づいて選択される実施態様３の方法。
５．選択されたＰＩＣＨ情報を使用してＰＩＣＨを介してページングメッセージを受信するステップをさらに備える実施態様１ないし４のいずれかに記載の方法。
６．ＰＩＣＨ情報に基づく期間の間待つステップ  をさらに備える実施態様５の方法。
７．高速共有制御チャネル（ＨＳ−ＳＣＣＨ）を介して高速専用共有チャネル（ＨＳ−ＤＳＣＨ）無線ネットワークトランザクション識別子（Ｈ−ＲＮＴＩ）を受信するステップをさらに備える実施態様６の方法。
８．高速物理ダウンリンク共有チャネル（ＨＳ−ＰＤＳＣＨ）を受信するステップをさらに備える実施態様７の方法。
９．ＨＳ−ＰＤＳＣＨの受信は、受信されたＨ−ＲＮＴＩに基づく実施態様８の方法。
１０．選択されたＰＩＣＨ情報を使用してＰＩＣＨを介してページングメッセージを受信するステップをさらに備える実施態様１ないし４のいずれかに記載の方法。
１１．ＰＩＣＨ情報に基づく期間の間待つステップをさらに備える実施態様１０の方法。
１２．共通高速専用共有チャネル（ＨＳ−ＤＳＣＨ）無線ネットワークトランザクション識別子（Ｈ−ＲＮＴＩ）を使用して高速物理ダウンリンク共有チャネル（ＨＳ−ＰＤＳＣＨ）を受信するステップをさらに備える実施態様１１の方法。
１３．ＷＴＲＵはＣＥＬＬ＿ＰＣＨ状態である実施態様１〜１２のいずれかに記載の方法。
１４．ＷＴＲＵはＵＲＡ＿ＰＣＨ状態である実施態様１〜１２のいずれかに記載の方法。
１５．ページングインジケータチャネル（ＰＩＣＨ）情報を含む情報要素を受信する前にスリープモードから目覚めるステップをさらに備える実施態様１〜１４のいずれかに記載の方法。
１６．Ｈ−ＲＮＴＩが受信されない場合、スリープモードに戻るステップをさらに備える実施態様１５の方法。
１７．期間は最小時間に基づく実施態様６の方法。
１８．最小時間は予め定められた値である実施態様１７の方法。
１９．最小時間はハードコードされる実施態様１８の方法。
２０．期間は最大時間に基づく実施態様６の方法。
２１．最大時間は基地局から送信される実施態様２０の方法。
２２．最大時間は基地局からブロードキャストされる実施態様２１の方法。
２３．最大時間は、受信されたＰＩＣＨ情報に基づく実施態様２０の方法。
２４．高速ダウンリンクパケットアクセス（ＨＳＤＰＡ）無線通信ネットワーク内で動作するように構成された無線送信／受信ユニット（ＷＴＲＵ）であって、
ページングインジケータチャネル（ＰＩＣＨ）情報を含む情報要素を受信するように構成された受信機を備えるＷＴＲＵ。
２５．受信されたＰＩＣＨ情報要素の数を決定するように構成されたプロセッサをさらに備える実施態様２４のＷＴＲＵ。
２６．プロセッサは、ページングメッセージを受信する際に使用するＰＩＣＨ情報を選択するようにさらに構成される実施態様２５のＷＴＲＵ。
２７．ＰＩＣＨ情報選択は、ＷＴＲＵのユニバーサル移動通信システム（ＵＭＴＳ）地上無線アクセスネットワーク（ＵＴＲＡＮ）無線ネットワークトランザクション識別情報（ＵＲＮＴＩ）に基づく実施態様２６のＷＴＲＵ。
２８．ＰＩＣＨ情報は、ｋを受信されたＰＩＣＨ情報要素の数として、Ｕ−ＲＮＴＩ  ｍｏｄ  ｋに基づいて選択される実施態様２７のＷＴＲＵ。
２９．受信機は、ＰＩＣＨを介してページングメッセージを受信するようにさらに構成される実施態様２４ないし２８のいずれかに記載のＷＴＲＵ。
３０．選択されたＰＩＣＨ情報は、ＰＩＣＨを介してページングメッセージを受信するために使用される実施態様２９のＷＴＲＵ。
３１．受信機は、ある期間の間待つようにさらに構成される実施態様２９〜３０に記載のＷＴＲＵ。
３２．期間は、ＰＩＣＨ情報に基づく実施態様３１のＷＴＲＵ。
３３．受信機は、高速共有制御チャネル（ＨＳ−ＳＣＣＨ）を介して高速専用共有チャネル（ＨＳ−ＤＳＣＨ）無線ネットワークトランザクション識別子（Ｈ−ＲＮＴＩ）を受信するようにさらに構成される実施態様３１ないし３２に記載のＷＴＲＵ。
３４．受信機は、高速物理ダウンリンク共有チャネル（ＨＳ−ＰＤＳＣＨ）を受信するようにさらに構成される実施態様３３のＷＴＲＵ。
３５．ＨＳ−ＰＤＳＣＨの受信は、受信されたＨ−ＲＮＴＩに基づく実施態様３４のＷＴＲＵ。
３６．受信機は、高速物理ダウンリンク共有チャネル（ＨＳ−ＰＤＳＣＨ）を受信する
ようにさらに構成される実施態様３２のＷＴＲＵ。
３７．ＨＳ−ＰＤＳＣＨは、共通高速専用共有チャネル（ＨＳ−ＤＳＣＨ）無線ネットワークトランザクション識別子（Ｈ−ＲＮＴＩ）を使用して受信される実施態様３６のＷＴＲＵ。
３８．プロセッサは、ページングインジケータチャネル（ＰＩＣＨ）情報を含む情報要素を受信する前にスリープモードから目覚めるようにさらに構成される実施態様２５ないし３７のいずれかに記載のＷＴＲＵ。
３９．  プロセッサは、Ｈ−ＲＮＴＩが受信されない場合、スリープモードに戻るようにさらに構成される実施態様３８のＷＴＲＵ。
４０．期間は最小時間に基づく実施態様３１のＷＴＲＵ。
４１．最小時間は予め定められた値である実施態様４０のＷＴＲＵ。
４２．最小時間はハードコードされる実施態様４０のＷＴＲＵ。
４３．期間は最大時間に基づく実施態様３１のＷＴＲＵ。
４４．最大時間は基地局から送信される実施態様４３のＷＴＲＵ。
４５．最大時間は基地局からブロードキャストされる実施態様４３のＷＴＲＵ。
４６．最大時間は、受信されたＰＩＣＨ情報に基づく実施態様４３のＷＴＲＵ。
４７．高速ダウンリンクパケットアクセス（ＨＳＤＰＡ）無線通信ネットワーク内で動作する無線送信／受信ユニット（ＷＴＲＵ）を呼び出す方法であって、
ページングインジケータチャネル（ＰＩＣＨ）情報を含む情報要素を送信するステップを備える方法。
４８．ＰＩＣＨ情報は最大伝送時間遅延を含む実施態様４７の方法。
４９．ＰＩＣＨを介してメッセージを送信するステップ
をさらに備える実施態様４８の方法。
５０．高速共有制御チャネル（ＨＳ−ＳＣＣＨ）を介して高速専用共有チャネル（ＨＳ−ＤＳＣＨ）無線ネットワークトランザクション識別子（Ｈ−ＲＮＴＩ）を送信するステップをさらに備える実施態様４９の方法。
５１．Ｈ−ＲＮＴＩは最大伝送時間遅延の前に送信される実施態様５０の方法。
５２．高速物理ダウンリンク共有チャネル（ＨＳ−ＰＤＳＣＨ）を介してメッセージを送信するステップをさらに備える実施態様５１の方法。
５３．高速ダウンリンクパケットアクセス（ＨＳＤＰＡ）無線通信システムで無線送信／受信ユニット（ＷＴＲＵ）を呼び出すための基地局であって、
最大伝送時間遅延を含むページングインジケータチャネル（ＰＩＣＨ）情報を含む情報要素を送信する
ように構成された送信機を備える基地局。
５４．送信機はさらに、ＰＩＣＨを介してメッセージを送信するように構成される実施態様５３の基地局。
５５．送信機はさらに、高速共有制御チャネル（ＨＳ−ＳＣＣＨ）を介して高速専用共有チャネル（ＨＳ−ＤＳＣＨ）無線ネットワークトランザクション識別子（Ｈ−ＲＮＴＩ）を送信するように構成される実施態様５４の基地局。
５６．Ｈ−ＲＮＴＩは最大伝送時間遅延の前に送信される実施態様５５の基地局。
５７．送信機はさらに、高速物理ダウンリンク共有チャネル（ＨＳ−ＰＤＳＣＨ）を介してメッセージを送信するように構成される実施態様５５ないし５６に記載の基地局。
５８．ＷＴＲＵ  ＤＲＸスケジュールに基づいて、ＷＴＲＵがいつアウェイク状態およびスリープ状態になるか決定するように構成されたプロセッサをさらに備える実施態様５３〜５７のいずれかに記載の基地局。
５９．ＷＴＲＵがアウェイク状態になると決定されるときＷＴＲＵへの送信をスケジューリングするように構成されたスケジューラをさらに備える実施態様５８の基地局。
６０．ＷＴＲＵはＣＥＬＬ＿ＰＣＨ状態である実施態様５３〜５９のいずれかに記載の基地局。
６１．ＷＴＲＵはＵＲＡ＿ＰＣＨ状態である実施態様５３〜５９のいずれかに記載の基地局。
６２．高速物理ダウンリンク共有チャネル（ＨＳ−ＰＤＳＣＨ）を介してメッセージを送信するステップをさらに備える実施態様４９の方法。
６３．メッセージは最大伝送時間遅延の前にＨＳ−ＰＤＳＣＨを介して送信される実施態様６２の方法。
６４．高速ダウンリンクパケットアクセス（ＨＳＤＰＡ）無線通信システム内で無線送信／受信ユニット（ＷＴＲＵ）を呼び出すための基地局であって、
最大伝送時間遅延を含むページングインジケータチャネル（ＰＩＣＨ）情報を含む情報要素を送信するように構成された送信機を備える基地局。
６５．送信機はさらに、ＰＩＣＨを介してメッセージを送信するように構成される実施態様６４の基地局。
６６．送信機はさらに、高速物理ダウンリンク共有チャネル（ＨＳ−ＰＤＳＣＨ）を介してメッセージを送信するように構成される実施態様６４〜６５に記載の基地局。
６７．ＷＴＲＵ  ＤＲＸスケジュールに基づいて、ＷＴＲＵがいつアウェイク状態およびスリープ状態になるか決定するように構成されたプロセッサをさらに備える実施態様６４ないし６６のいずれかに記載の基地局。
６８．ＷＴＲＵがアウェイク状態になると決定されるときＷＴＲＵへの送信をスケジューリングするように構成されたスケジューラをさらに備える実施態様６７の基地局。
６９．ＷＴＲＵはＣＥＬＬ＿ＰＣＨ状態である実施態様６４〜６８のいずれかに記載の基地局。
７０．ＷＴＲＵはＵＲＡ＿ＰＣＨ状態である実施態様６４〜６８のいずれかに記載の基地局。
【図１】
2014168275.tif 000004
【図２】
2014168275.tif 000005
【図３】
2014168275.tif 000006
【図４】
2014168275.tif 000007
【図５】
2014168275.tif 000008
【図６】
2014168275.tif 000009
【図７】
2014168275.tif 000010